(57)【特許請求の範囲】
【請求項１】
複数の床パネルをスリットを隔てて平面マトリックス方向に敷設した床面部と、前記床面部の下方に配置され、前記スリットからの落下液滴を受ける根太材と、この根太材に直交するとともに前記根太材を支承し、かつ、前記根太材内部に連通するとともに排水本管側に接続する大引き材と、前記大引き材の中央部を支承する束材と、前記各大引き材の両端部をそれぞれ連結する梁材と、これら梁材の下端側と前記束材の上端側とをそれぞれ連結する筋交い材と、を備え、
建築物の基礎面側に前記束材の下面側を接地させると共に、前記梁材の下面側を前記基礎面側に接地させないことで前記床パネルを所定高さに保持するよう構成されていることを特徴とする建築物の床構造。
【請求項２】
前記梁材の断面がＨ型であることを特徴とする請求項１に記載の建築物の床構造。
【請求項３】
前記束材には束材の全長を調整するためのアジャスタが設けられていることを特徴とする請求項１または２に記載の建築物の床構造。
【発明の詳細な説明】
【０００１】
【発明の属する技術分野】
本発明は建築物の床構造に関し、更に詳細には建築物内において水洗浄が可能な床の構造に関する。
【０００２】
【従来の技術】
建築物の床の清掃にあたっては、特に公衆トイレや病院等の施設では、水洗浄を行うことが衛生面や清掃効率の点から望ましい。
【０００３】
しかし、水洗浄可能な床は、床全体に防水性の施工を行わなければならず、構造が複雑になるとともに施工に長期間を要し、コスト高となってしまう。また、床に破損が生じた場合等は、修理に多大な費用がかかってしまう。
【０００４】
そこで、本出願人は先に、このような問題を解消した床構造（図１１〜図１３参照）を提案した。
これは、特許第２５３９７０９号公報に記載されているように、床スラブ面から浮かせた位置に複数の床パネル１を配置し、床パネル１上に散かれた水を効率的に排水させるようにしたものである。
【０００５】
すなわち、特許第２５３９７０９号の床構造は、平面上に設置される複数の床パネル１の間に目地材２を挟置し、この床パネル１の両縁を支持する根太材３を配置する。さらに、これら根太材３に直交して根太材３を支承する大引き材４を配置し、前記根太材内部と大引き材４とを連通させる通水孔５を設けてある。
【０００６】
この通水孔５は、根太材３と大引き材４とに夫々設けた通水孔を一致させることで形成されている。なお、根太材３にはフランジ３ａ、３ｂが設けられており、排水が外部に漏れることを防止するようにしてある。
【０００７】
そして、前記大引き材４の端部に、床パネル１と目地材２との間から流入した水を外部に排出する排水管６を設けてある。
さらに、前記大引き材４の両端部下面にこれを支承する束材７を配置し、この束材７を建築物の床スラブ面に接地させることで全体を保持するような構成になっている。
【０００８】
このような構成により、床洗浄水は根太材３から大引き材４を通って排水管６から外部に容易に排出される。そして、床構造の施工が簡易であるとともに、仮に床面に破損が生じた場合でも、破損箇所の床パネルを取り替えるだけで簡単に修理を済ますことができる。
【０００９】
【発明が解決しようとする課題】
ところで、前記した束材は、床構造材や床上の重量を支えるために大きな荷重がかかる。このため、コンクリート床スラブにはこの荷重を安全に支承するように、束材の位置に合わせて床スラブ内に予め補強材を配置したり、補助の梁を配置しておくなどの必要がある。
【００１０】
しかし、前記した構造では図１３に示すように、すべての大引き材４に夫々多数の束材７が一定間隔で設けられるため、束材の数が多くなることは避けられない。
【００１１】
しかも、床スラブ内に補強材を多く設置することはコスト高を招くこととなり、また床以外の構造上の都合とも競合して設計の自由度を狭くすることになる。
本発明は前記事項に鑑みなされたものであり、排水型の床において、基礎（床スラブ）における補強材の数を減らすことができ、コスト低減と設計上の自由度を改善することができるようにした建築物の床構造を提供することを技術的課題とする。
【００１２】
【課題を解決するための手段】
本発明は建築物の床構造であり、前述した技術的課題を解決するために以下のように構成されている。
【００１３】
第１の発明は、複数の床パネル１をスリットを隔てて平面マトリックス方向に敷設した床面部と、床面部の下方に配置され、前記スリットからの落下液滴を受ける根太材３と、この根太材３に直交するとともに根太材３を支承し、かつ、根太材内部に連通するとともに排水本管側に接続する大引き材４と、前記大引き材４の両端部を支承する束材７と、各大引き材４の中央部を連結する梁材８と、この梁材８の下端側と束材７の上端側とを連結する筋交い材９と、を備え、建築物の基礎面１０側に前記束材７の下面側を接地させることで床パネル１を所定高さに保持するよう構成されていることを特徴とする。
【００１４】
第２の発明は、複数の床パネル１をスリットを隔てて平面マトリックス方向に敷設した床面部と、床面部の下方に配置され、前記スリットからの落下液滴を受ける根太材３と、この根太材３に直交するとともに根太材３を支承し、かつ、根太材内部に連通するとともに排水本管側に接続する大引き材４と、前記大引き材４の中央部を支承する束材７と、各大引き材４の両端部をそれぞれ連結する梁材８と、これら梁材８の下端側と束材７の上端側とをそれぞれ連結する筋交い材９と、を備え、建築物の基礎面１０側に前記束材７の下面側を接地させることで床パネル１を所定高さに保持するよう構成されていることを特徴とする。
【００１５】
第３の発明は、第１または第２の発明のいずれかにおいて、前記梁材８の断面がＨ型であることを特徴とする。
第４の発明は、第１〜第３の発明のいずれかにおいて、前記束材７には束材７の全長を調整するためのアジャスタ７ａが設けられていることを特徴とする。
【００１６】
なお、前記梁材８の形状は任意であるが、一般構造物の梁と同等な曲げ応力が加わるため、断面がＨ型の鋼材が好適である。
また、筋交い材９も鋼材が好適であるが、鋼製ワイヤを束材７と梁材８間に張設して筋交い材９とすることもできる。
【００１７】
本発明の建築物の床構造は、梁材８の下端側と束材８の上端側とを筋交い材９で連結することで、梁材８の下端を頂点とする三角形状の構造体が形成される。そして、大引き材４に荷重が加えられたとしても、その荷重のＸ軸方向の応力は梁材８の剛性によって支持され、また、Ｙ軸方向の応力は筋交い材９を引き伸ばす方向に加わるため、十分な強度の筋交い材９を使用することで床全体の変形は防止できる。
【００１８】
したがって、従来必要だった大引き材４を支承する束材７の本数を低減することができる。このため、基礎（床スラブ）面１０の補強位置も束材７が実際に接地している部分だけに限定されるため、設計及び施工の自由度が増し、結果としてコストの低減を図ることができる。
【００１９】
【発明の実施の形態】
以下、本発明の建築物の床構造を図１〜図１０に示される実施形態について更に詳細に説明する。
【００２０】
〈実施形態１〉
本発明の第１の実施形態を、図１〜図５を中心に説明する。この床構造は建築物の床スラブ１０上に構築されるものである。
【００２１】
実際に床として使用される床パネル１は断面が矩形の板材であり、公衆トイレ等の空間において、平面上に多数並列して設置されるものである。この床パネル１は例えば、縦横が６０センチメートル×４０センチメートル程度の板となっており、床パネル１の少なくとも表面には、防水コートが施してある。なお、床パネル１を水密性の素材により成形してもよい。
【００２２】
そして、隣接する床パネル１同士の間には、目地材２が配置されている。この目地材２は合成樹脂や通水性焼結材で形成することができる。通水性のない合成樹脂等を使用して目地材２を形成する場合は、目地材２を床パネル１との間に若干の間隙をもって配置し、また通水性焼結材を使用する場合には間隙なく配置することができる。
【００２３】
つまり、目地材２を配置（隣接する床パネル１間に間隙を形成）することにより、床上に散水された水が最初に通過する水路を確保する構造となっている。
各床パネル１の両縁（図３における左右両縁）は根太材３によって支持されている。すなわち、１つの根太材３が、一方の床パネル１の端部と、一方の床パネル１に隣接（近接）する他方の床パネル１の端部を支持するようになっている。そして、根太材３はＣ型鋼材で形成されており、図１２で説明した根太材と同様に、床パネル１との接触面にフランジ３ａ、３ｂが設けられている。このようにして、根太材３は、目地材２（隣接する各床パネル１間のスリット）の下方に配置されることとなり、樋機能を有する複数の根太材３が目地材２に沿って平行に配置される。
【００２４】
そして、根太材３は、これら根太材３に直交して配置されている大引き材４上に載置されている。前記根太材３内部と大引き材４との接合面には夫々通水孔５が形成されており、両通水孔５を一致させた状態で通水孔５が貫通するようになっている。なお、通水孔５の位置決めの容易性と水密性を高めるために根太材３側の通水孔５には、下方に凸となるフランジを形成してもよい。このフランジは数ミリ程度あればよいため、通水孔の打ち抜きの際に意図的にバリが形成されるようにしてもよい。
【００２５】
さらに、大引き材４として図５に示すような丸鋼管を使用する場合には、大引き材４と根太材３の相対的な大きさによっては（大引き材４が根太材３に対して大きい場合等）、通水孔５に隙間ができるため、通水孔５の周囲にカプラ２１を介挿してもよい。
【００２６】
前記大引き材４の一端部には、流入した水を外部に排出する排水管６が設けられているとともに、他端には換気用筒状体２０が接続されている。この換気用筒状体２０は、先端側において排風機（図示せず）に接続されている。なお、換気用筒状体２０の周囲にはカバー２３を設置するようにしてもよい。
【００２７】
これにより、床上空間、根太材３内、大引き材４内の空気は強制的に外部に排気されるので、水が淀んで床パネル１上の空間に悪臭が発生する虞れもない。
なお、前記排水管６は防臭トラップ（図示せず）を経て排水本管側に接続されている。
【００２８】
そして、前記大引き材４の両端部下面には、大引き材４を支承する円柱状の束材７が配置されている。この束材７には束材の全長を調整するためのアジャスタ７ａが設けられている。このアジャスタ７ａは本体部分に螺桿をねじ込むことによって全長を可変できるようになっている。
【００２９】
各大引き材４の中央部には、大引き材４同士を連結するよう梁材８が取り付けられている。この梁材８にはＨ鋼が用いられており、上下方向に対する曲げ強度が高くなるよう平面部が上下に位置するよう大引き材４に接続されている。
【００３０】
そして、この梁材８の下端側（床スラブ１０側）と束材７の上端側とを筋交い材９で連結してある。この筋交い材９にはＬ字アングルが用いられており、梁材８側に溶接された取り付けアングル８ａと束材７側に溶接された取り付けアングル７ｂとに夫々２本一組でボルト締めされている。なお、本床構造の周囲には壁２２が設置されている。
【００３１】
以上のように構成することにより各床パネル１は図２及び図５に示すように、床スラブ１０上の所定高さに保持される。そして、床パネル１上に散水して掃除を行った場合は、余剰の水が、目地材２周囲から根太材３を経て通水孔５を通り大引き材４内に流入し、排水管６から排水される。
【００３２】
そして、本床構造と床スラブ１０との接触面は図２及び図５に示すように、大引き材４の両端に位置する束材７だけであり、大引き材４の中央部分は床スラブ１０から浮いた状態となっている。
【００３３】
これは、梁材８の下端側と束材８の上端側とを筋交い材９で連結することで、梁材８の下端を頂点とする逆三角形状の構造体が形成され、大引き材４が最も撓み易い中央部分に荷重が加えられたとしても、その荷重のＸ軸方向（図２における横方向）の応力は梁材８の剛性によって支持され、また、Ｙ軸方向（図２における縦方向）の応力は筋交い材９を引き伸ばす方向に加わるため、大引き材４の変形が極めて少ないことによるものである。
【００３４】
したがって、大引き材４上に載置されている床パネル１の変形も少なく十分な強度が得られる。
このため、従来必要だった大引き材４中央部の束材７を設ける必要がなくなるとともに、この部分に必要だった床スラブの補強も不要となった。
【００３５】
〈実施形態２〉
本発明の建築物の床構造の、第２の実施形態を図６〜図１０に基づき説明する。
この実施形態の建築物の床構造において、第１の実施形態と異なるところは、大引き材４を支承する、大引き材４下方の構造である。その他の構成は、第１の実施形態と同一のため、第１の実施形態と同一部分には同一の符号を付して説明を省略する。
【００３６】
大引き材４の中央部下面には、大引き材４を支承する束材７が配置されている。この束材７には束材の全長を調整するためのアジャスタ７ａが設けられている。このアジャスタ７ａは本体部分に螺桿をねじ込むことによって全長を可変できるようになっている。
【００３７】
各大引き材４の両端部には、大引き材４同士を連結するよう梁材８がそれぞれ取り付けられている。この梁材８にはＨ鋼が用いられており、上下方向に対する曲げ強度が高くなるよう平面部が上下に位置するよう大引き材４に接続されている。
【００３８】
そして、この両梁材８の下端側（床スラブ１０側）と束材７の上端側とを、それぞれ筋交い材９で連結してある。これら筋交い材９には、Ｌ字アングルが用いられており、梁材８側に溶接された取り付けアングル８ａと束材７側に溶接された取り付けアングル７ｂとに夫々２本一組でボルト締めされている。
【００３９】
以上のように構成することにより床パネル１は図７及び図１０に示すように、床スラブ１０上の所定高さに保持される。
そして、本床構造と床スラブ１０との接触面は図７に示すように、大引き材４の中央に位置する束材７だけであり、大引き材４の両端部分は床から浮いた状態で安定している。
【００４０】
これは、２つの梁材８の下端側と束材７の上端側とを２つの筋交い材９で連結することで、束材７を中心として、２つの三角形状の構造体が形成されることによる。すなわち、大引き材４の端部側に荷重が加えられたとしても、その荷重のＸ軸方向（図７における横方向）の応力は梁材８の剛性によって支持され、また、Ｙ軸方向（図７における縦方向）の応力は筋交い材９を引き伸ばす方向に加わるため、大引き材４の変形が極めて少ないことによる。
【００４１】
したがって、大引き材４上に載置されている床パネル１の変形も少なく十分な強度が得られる。
このため、従来必要だった大引き材４両端部の束材７を設ける必要がなくなるとともに、この部分に必要だった床スラブの補強も不要となった。
【００４２】
なお、本発明の実施形態では、第１の実施形態において、束材７を大引き材４の両端部に配置するとともに梁材８を大引き材４の中央部に配置し、第２の実施形態においては束材７を大引き材４の中央に配置するとともに梁材８を大引き材４の両端部に配置して、それぞれ１ユニットの床構造としたが、複数の束材７と複数の梁材８とを交互に連続して設けるとともに、隣接する束材７と梁材８とを筋交い材９でそれぞれ連結する構成をして、１ユニットの床構造とすることもできる。
【００４３】
【発明の効果】
本発明によれば、排水型床において、大引き材を支承する束材を配置する一方、各大引き材を連結する梁材を設けるとともに、この梁材の下端側と束材の上端側とを連結する筋交い材を設けたので、大引き材への荷重に対する変形を大幅に低減することができる。
【００４４】
このため、従来のものに比較して束材の数を大幅に削減しても床構造全体は十分な強度が得られる。このため基礎（床スラブ）の補強箇所も少なくすることができ、コスト低減と設計上の自由度を改善することができる。
【図面の簡単な説明】
【図１】  本発明の第１の実施形態である建築物の床構造を示す斜視図。
【図２】  本発明の第１の実施形態である建築物の床構造を示す図３におけるＡ−Ａ断面図。
【図３】  本発明の第１の実施形態である建築物の床構造を示す平面図。
【図４】  本発明の第１の実施形態である建築物の床構造を示す底面図。
【図５】  本発明の第１の実施形態である建築物の床構造を示す図２におけるＢ−Ｂ断面図。
【図６】  本発明の第２の実施形態である建築物の床構造を示す斜視図。
【図７】  本発明の第２の実施形態である建築物の床構造を示す図３におけるＡ−Ａ断面図。
【図８】  本発明の第２の実施形態である建築物の床構造を示す平面図。
【図９】  本発明の第２の実施形態である建築物の床構造を示す底面図。
【図１０】本発明の第２の実施形態である建築物の床構造を示す図２におけるＢ−Ｂ断面図。
【図１１】従来の建築物の床構造を示す斜視図。
【図１２】従来の建築物の床構造を示す縦断面図。
【図１３】従来の建築物の床構造を示す平面図。
【符号の説明】
１  床パネル
２  目地材
３  根太材
４  大引き材
５  通水孔
６  排水管
７  束材
７ａ  アジャスタ
８  梁材
９  筋交い材
１０  床スラブ
【図１】
0004290822.tif 000002
【図２】
0004290822.tif 000003
【図３】
0004290822.tif 000004
【図４】
0004290822.tif 000005
【図５】
0004290822.tif 000006
【図６】
0004290822.tif 000007
【図７】
0004290822.tif 000008
【図８】
0004290822.tif 000009
【図９】
0004290822.tif 000010
【図１０】
0004290822.tif 000011
【図１１】
0004290822.tif 000012
【図１２】
0004290822.tif 000013
【図１３】
0004290822.tif 000014